(57)【要約】【課題】移動局ＵＥが「Ｄｕａｌ  Ｃｏｎｎｅｃｔｉｖｉｔｙ」を行っている状態において、Ｕ-ｐｌａｎｅベアラにおいて障害が発生した場合に、Ｕ-ｐｌａｎｅベアラの再設定を適切に行う。【解決手段】本発明に係る移動通信方法は、無線基地局ＳｅＮＢが、無線基地局ＳｅＮＢと移動局ＵＥとの間で設定されているベアラにおける障害（Ｆａｉｌｕｒｅ）を検出した場合、無線基地局ＭｅＮＢに対して、その旨及び当該ベアラについての設定情報を通知する工程と、無線基地局ＭｅＮＢが、かかる設定情報に基づいて、移動局ＵＥに対して、無線基地局ＭｅＮＢと移動局ＵＥとの間で当該ベアラを再設定するように指示する工程とを有する。【選択図】図４
2015037301.tif 000002
【特許請求の範囲】
【請求項１】
移動局がマクロセル用無線基地局配下のマクロセル及びスモールセル用無線基地局配下のスモールセルを用いてキャリアアグリゲーションを行っている状態における移動通信方法であって、
前記スモールセル用無線基地局が、該スモールセル用無線基地局と前記移動局との間で設定されているベアラにおける障害を検出した場合、前記マクロセル用無線基地局に対して、その旨及び該ベアラについての設定情報を通知する工程と、
前記マクロセル用無線基地局が、前記設定情報に基づいて、前記移動局に対して、該マクロセル用無線基地局と該移動局との間で前記ベアラを再設定するように指示する工程とを有することを特徴とする移動通信方法。
【請求項２】
移動局がマクロセル用無線基地局配下のマクロセル及びスモールセル用無線基地局配下のスモールセルを用いてキャリアアグリゲーションを行っている状態における移動通信方法であって、
前記移動局が、前記スモールセル用無線基地局と該移動局との間で設定されているベアラにおける障害を検出した場合、前記マクロセル用無線基地局に対して、該ベアラについての再設定要求を送信する工程と、
前記マクロセル用無線基地局が、前記再設定要求に基づいて、前記スモールセル用無線基地局から、前記ベアラについての設定情報を取得する工程と、
前記マクロセル用無線基地局が、前記設定情報に基づいて、前記移動局に対して、該マクロセル用無線基地局と該移動局との間で前記ベアラを再設定するように指示する工程とを有することを特徴とする移動通信方法。
【請求項３】
移動局がマクロセル用無線基地局配下のマクロセル及びスモールセル用無線基地局配下のスモールセルを用いてキャリアアグリゲーションを行うことができるように構成されている移動通信システムであって、
前記キャリアアグリゲーションが行われている状態では、前記マクロセル用無線基地局は、第１ベアラ用のＭＡＣレイヤ機能とＲＬＣレイヤ機能とＰＤＣＰレイヤ機能とを具備しており、前記スモールセル用無線基地局は、第２ベアラ用のＭＡＣレイヤ機能とＲＬＣレイヤ機能とＰＤＣＰレイヤ機能とを具備しており、
前記第２ベアラにおける障害が検出された場合に、前記スモールセル用無線基地局において、該第２ベアラ用のＭＡＣレイヤ機能とＲＬＣレイヤ機能とＰＤＣＰレイヤ機能とを削除し、前記マクロセル用無線基地局において、該第２ベアラ用のＭＡＣレイヤ機能とＲＬＣレイヤ機能とＰＤＣＰレイヤ機能とを設定し、該第２ベアラ用のＭＡＣレイヤ機能については、前記第１ベアラ用のＭＡＣレイヤ機能を共通に使用するように設定するように構成されていることを特徴とする移動通信システム。
【請求項４】
移動局がマクロセル用無線基地局配下のマクロセル及びスモールセル用無線基地局配下のスモールセルを用いてキャリアアグリゲーションを行うことができるように構成されている移動通信システムであって、
前記キャリアアグリゲーションが行われている状態では、前記マクロセル用無線基地局は、第１ベアラ用のＭＡＣレイヤ機能とＲＬＣレイヤ機能とＰＤＣＰレイヤ機能とを具備しており、前記スモールセル用無線基地局は、第２ベアラ用のＭＡＣレイヤ機能とＲＬＣレイヤ機能とＰＤＣＰレイヤ機能とを具備しており、
前記第２ベアラにおける障害が検出された場合に、前記スモールセル用無線基地局において、該第２ベアラ用のＭＡＣレイヤ機能とＲＬＣレイヤ機能とＰＤＣＰレイヤ機能とを削除し、前記マクロセル用無線基地局において、該第２ベアラ用のＭＡＣレイヤ機能とＲＬＣレイヤ機能とＰＤＣＰレイヤ機能とを、前記第１ベアラ用のＭＡＣレイヤ機能とＲＬＣレイヤ機能とＰＤＣＰレイヤ機能とは独立のエンティティとして設定するように構成されていることを特徴とする移動通信システム。
【請求項５】
移動局がマクロセル用無線基地局配下のマクロセル及びスモールセル用無線基地局配下のスモールセルを用いてキャリアアグリゲーションを行うことができるように構成されている移動通信システムであって、
前記キャリアアグリゲーションが行われている状態では、前記マクロセル用無線基地局は、第１ベアラ用のＭＡＣレイヤ機能とＲＬＣレイヤ機能とＰＤＣＰレイヤ機能と共に、第２ベアラ用のＲＬＣレイヤ機能とＰＤＣＰレイヤ機能とを具備しており、前記スモールセル用無線基地局は、該第２ベアラ用のＭＡＣレイヤ機能とＲＬＣレイヤ機能とＰＤＣＰレイヤ機能とを具備しており、
前記第２ベアラにおける障害が検出された場合に、前記スモールセル用無線基地局において、該第２ベアラ用のＭＡＣレイヤ機能とＲＬＣレイヤ機能とＰＤＣＰレイヤ機能とを削除し、前記マクロセル用無線基地局において、該第２ベアラ用のＭＡＣレイヤ機能とＲＬＣレイヤ機能とＰＤＣＰレイヤ機能とを設定し、該第２ベアラ用のＭＡＣレイヤ機能については、前記第１ベアラ用のＭＡＣレイヤ機能を共通に使用するように設定するように構成されていることを特徴とする移動通信システム。
【発明の詳細な説明】
【技術分野】
【０００１】
本発明は、移動通信方法及び移動通信システムに関する。
【背景技術】
【０００２】
ＬＴＥ（Ｌｏｎｇ  Ｔｅｒｍ  Ｅｖｏｌｕｔｉｏｎ）方式では、移動局ＵＥは、「Ｄｕａｌ  Ｃｏｎｎｅｃｔｉｖｉｔｙ」を行っている状態、すなわち、無線基地局ＭｅＮＢ（Ｍａｃｒｏ  ｅＮＢ）配下のマクロセル及び無線基地局ＳｅＮＢ（Ｓｍａｌｌ  ｅＮＢ）配下のスモールセルを用いてＣＡ（Ｃａｒｒｉｅｒ  Ａｇｇｒｅｇａｔｉｏｎ、キャリアアグリゲーション）を行っている状態において、Ｕ-ｐｌａｎｅデータについて、無線基地局ＭｅＮＢ及び無線基地局ＳｅＮＢの両方との間で送受信することができるように構成されている。
【０００３】
かかる状態において、移動局ＵＥのモビリティ（ハンドオーバ）については、無線基地局ＭｅＮＢによって制御されるように構成されている。
【０００４】
また、移動局ＵＥが無線基地局ＭｅＮＢ配下のマクロセルにおいて通信を行っている状態でスモールセルを追加する場合には、かかるスモールセルを管理している無線基地局ＳｅＮＢと移動局ＵＥとの間で、Ｕ-ｐｌａｎｅデータ用のベアラを設定するように構成されている。
【先行技術文献】
【非特許文献】
【０００５】
【非特許文献１】３ＧＰＰ ＴＲ３６.８４２、「Ｓｔｕｄｙ  ｏｎ  Ｓｍａｌｌ  Ｃｅｌｌ  Ｅｎｈａｎｃｅｍｅｎｔ  ｆｏｒ  Ｅ-ＵＴＲＡ  ａｎｄ  Ｅ-ＵＴＲＡＮ  −  Ｈｉｇｈｅｒ  ｌａｙｅｒ  ａｓｐｅｃｔｓ」
【発明の概要】
【発明が解決しようとする課題】
【０００６】
しかしながら、従来のＬＴＥ方式では、上述の状態において、無線基地局ＳｅＮＢ配下のスモールセルにおいて、通信品質の劣化等の何らかの原因によってＵ-ｐｌａｎｅベアラにおいて障害が発生した場合に、Ｕ-ｐｌａｎｅデータ用のベアラの設定をどのように変更するべきかについて規定されていないという問題点があった。
【０００７】
そこで、本発明は、上述の課題に鑑みてなされたものであり、移動局ＵＥが「Ｄｕａｌ  Ｃｏｎｎｅｃｔｉｖｉｔｙ」を行っている状態において、Ｕ-ｐｌａｎｅベアラにおいて障害が発生した場合に、Ｕ-ｐｌａｎｅベアラの再設定を適切に行うことができる移動通信方法及び移動通信システムを提供することを目的とする。
【課題を解決するための手段】
【０００８】
本発明の第１の特徴は、移動局がマクロセル用無線基地局配下のマクロセル及びスモールセル用無線基地局配下のスモールセルを用いてキャリアアグリゲーションを行っている状態における移動通信方法であって、前記スモールセル用無線基地局が、該スモールセル用無線基地局と前記移動局との間で設定されているベアラにおける障害を検出した場合、前記マクロセル用無線基地局に対して、その旨及び該ベアラについての設定情報を通知する工程と、前記マクロセル用無線基地局が、前記設定情報に基づいて、前記移動局に対して、該マクロセル用無線基地局と該移動局との間で前記ベアラを再設定するように指示する工程とを有することを要旨とする。
【０００９】
本発明の第２の特徴は、移動局がマクロセル用無線基地局配下のマクロセル及びスモールセル用無線基地局配下のスモールセルを用いてキャリアアグリゲーションを行っている状態における移動通信方法であって、前記移動局が、前記スモールセル用無線基地局と該移動局との間で設定されているベアラにおける障害を検出した場合、前記マクロセル用無線基地局に対して、該ベアラについての再設定要求を送信する工程と、前記マクロセル用無線基地局が、前記再設定要求に基づいて、前記スモールセル用無線基地局から、前記ベアラについての設定情報を取得する工程と、前記マクロセル用無線基地局が、前記設定情報に基づいて、前記移動局に対して、該マクロセル用無線基地局と該移動局との間で前記ベアラを再設定するように指示する工程とを有することを要旨とする。
【００１０】
本発明の第３の特徴は、移動局がマクロセル用無線基地局配下のマクロセル及びスモールセル用無線基地局配下のスモールセルを用いてキャリアアグリゲーションを行うことができるように構成されている移動通信システムであって、前記キャリアアグリゲーションが行われている状態では、前記マクロセル用無線基地局は、第１ベアラ用のＭＡＣレイヤ機能とＲＬＣレイヤ機能とＰＤＣＰレイヤ機能とを具備しており、前記スモールセル用無線基地局は、第２ベアラ用のＭＡＣレイヤ機能とＲＬＣレイヤ機能とＰＤＣＰレイヤ機能とを具備しており、前記第２ベアラにおける障害が検出された場合に、前記スモールセル用無線基地局において、該第２ベアラ用のＭＡＣレイヤ機能とＲＬＣレイヤ機能とＰＤＣＰレイヤ機能とを削除し、前記マクロセル用無線基地局において、該第２ベアラ用のＭＡＣレイヤ機能とＲＬＣレイヤ機能とＰＤＣＰレイヤ機能とを設定し、該第２ベアラ用のＭＡＣレイヤ機能については、前記第１ベアラ用のＭＡＣレイヤ機能を共通に使用するように設定することを要旨とする。
【００１１】
本発明の第４の特徴は、移動局がマクロセル用無線基地局配下のマクロセル及びスモールセル用無線基地局配下のスモールセルを用いてキャリアアグリゲーションを行うことができるように構成されている移動通信システムであって、前記キャリアアグリゲーションが行われている状態では、前記マクロセル用無線基地局は、第１ベアラ用のＭＡＣレイヤ機能とＲＬＣレイヤ機能とＰＤＣＰレイヤ機能とを具備しており、前記スモールセル用無線基地局は、第２ベアラ用のＭＡＣレイヤ機能とＲＬＣレイヤ機能とＰＤＣＰレイヤ機能とを具備しており、前記第２ベアラにおける障害が検出された場合に、前記スモールセル用無線基地局において、該第２ベアラ用のＭＡＣレイヤ機能とＲＬＣレイヤ機能とＰＤＣＰレイヤ機能とを削除し、前記マクロセル用無線基地局において、該第２ベアラ用のＭＡＣレイヤ機能とＲＬＣレイヤ機能とＰＤＣＰレイヤ機能とを、前記第１ベアラ用のＭＡＣレイヤ機能とＲＬＣレイヤ機能とＰＤＣＰレイヤ機能とは独立のエンティティとして設定するように構成されていることを要旨とする。
【００１２】
本発明の第５の特徴は、移動局がマクロセル用無線基地局配下のマクロセル及びスモールセル用無線基地局配下のスモールセルを用いてキャリアアグリゲーションを行うことができるように構成されている移動通信システムであって、前記キャリアアグリゲーションが行われている状態では、前記マクロセル用無線基地局は、第１ベアラ用のＭＡＣレイヤ機能とＲＬＣレイヤ機能とＰＤＣＰレイヤ機能と共に、第２ベアラ用のＲＬＣレイヤ機能とＰＤＣＰレイヤ機能とを具備しており、前記スモールセル用無線基地局は、該第２ベアラ用のＭＡＣレイヤ機能とＲＬＣレイヤ機能とＰＤＣＰレイヤ機能とを具備しており、前記第２ベアラにおける障害が検出された場合に、前記スモールセル用無線基地局において、該第２ベアラ用のＭＡＣレイヤ機能とＲＬＣレイヤ機能とＰＤＣＰレイヤ機能とを削除し、前記マクロセル用無線基地局において、該第２ベアラ用のＭＡＣレイヤ機能とＲＬＣレイヤ機能とＰＤＣＰレイヤ機能とを設定し、該第２ベアラ用のＭＡＣレイヤ機能については、前記第１ベアラ用のＭＡＣレイヤ機能を共通に使用するように設定することを要旨とする。
【発明の効果】
【００１３】
以上説明したように、本発明によれば、移動局ＵＥが「Ｄｕａｌ  Ｃｏｎｎｅｃｔｉｖｉｔｙ」を行っている状態において、Ｕ-ｐｌａｎｅベアラにおいて障害が発生した場合に、Ｕ-ｐｌａｎｅベアラの再設定を適切に行うことができる移動通信方法及び移動通信システムを提供することができる。
【図面の簡単な説明】
【００１４】
【図１】本発明の第１の実施形態に係る移動通信システムの全体構成図である。
【図２】本発明の第１の実施形態に係る移動通信システムにおけるＵ-ｐｌａｎｅデータの流れの一例を示す図である。
【図３】本発明の第１の実施形態に係る移動通信システムにおけるＵ-ｐｌａｎｅデータの流れの一例を示す図である。
【図４】本発明の第１の実施形態に係る移動通信システムの動作の一例を示すシーケンス図である。
【図５】本発明の第１の実施形態に係る移動通信システムの動作の一例を示すシーケンス図である。
【図６】本発明の第１の実施形態に係る無線基地局ＭｅＮＢ/ＳｅＮＢのプロトコルスタックの遷移の一例を示す図である。
【図７】本発明の第１の実施形態に係る無線基地局ＭｅＮＢ/ＳｅＮＢのプロトコルスタックの遷移の一例を示す図である。
【図８】本発明の変更例１に係る移動通信システムにおけるＵ-ｐｌａｎｅデータの流れの一例を示す図である。
【図９】本発明の変更例１に係る無線基地局ＭｅＮＢ/ＳｅＮＢのプロトコルスタックの遷移の一例を示す図である。
【発明を実施するための形態】
【００１５】
（本発明の第１の実施形態に係る移動通信システム）
図１乃至図７を参照して、本発明の第１の実施形態に係る移動通信システムについて説明する。
【００１６】
図１に示すように、本実施形態に係る移動通信システムは、ＬＴＥ方式の移動通信システムであって、ゲートウェイ装置Ｓ-ＧＷと、マクロセルを管理する無線基地局ＭｅＮＢと、スモールセルを管理する無線基地局ＳｅＮＢと、移動局ＵＥとを具備している。
【００１７】
ここで、無線基地局ＭｅＮＢは、マスター無線基地局（Ｍａｓｔｅｒ-ｅＮＢ）と呼ばれてもよいし、無線基地局ＳｅＮＢは、セカンダリー無線基地局（Ｓｅｃｏｎｄａｒｙ-ｅＮＢ）と呼ばれてもよい。
【００１８】
また、無線基地局ＭｅＮＢ及び無線基地局ＳｅＮＢは、異なる物理ノードであってもよいし、同一の物理ノードであってもよい。
【００１９】
本実施形態に係る移動通信システムでは、移動局ＵＥは、無線基地局ＭｅＮＢ配下のＣＣ及び無線基地局ＳｅＮＢ配下のＣＣを用いてＣＡを行うことができるように構成されている。
【００２０】
すなわち、本実施形態に係る移動通信システムでは、移動局ＵＥは、「Ｄｕａｌ  Ｃｏｎｎｅｃｔｉｖｉｔｙ」、或いは、「Ｉｎｔｅｒ-ｎｏｄｅ  ＵＰ  ａｇｇｒｅｇａｔｉｏｎ」を行うことができるように構成されている。
【００２１】
また、本実施形態に係る移動通信システムにおいて、図２及び図３に示すように、移動局ＵＥが、「Ｄｕａｌ  Ｃｏｎｎｅｃｔｉｖｉｔｙ」を行っている場合には、同一のＥＰＳベアラ上のＵ-ｐｌａｎｅデータは、無線基地局ＭｅＮＢ及び無線基地局ＳｅＮＢのどちらか一方にしか流れないように構成されている。
【００２２】
なお、Ｕ-ｐｌａｎｅデータは、図２に示すように、ゲートウェイ装置Ｓ-ＧＷから無線基地局ＳｅＮＢに流れるように構成されていてもよいし、図３に示すように、無線基地局ＭｅＮＢから無線基地局ＳｅＮＢに流れるように構成されていてもよい。
【００２３】
以下、図４及び図５を参照して、本実施形態に係る移動通信システムの動作について説明する。
【００２４】
第１に、図４を参照して、本実施形態に係る移動通信システムの動作例１について説明する。
【００２５】
図４に示すように、移動局ＵＥが、無線基地局ＭｅＮＢと無線基地局ＳｅＮＢとの間で「Ｄｕａｌ  Ｃｏｎｎｅｃｔｉｖｉｔｙ」を行っている状態で、無線基地局ＳｅＮＢは、ステップＳ１００１において、無線基地局ＳｅＮＢと移動局ＵＥとの間で設定されているベアラにおける障害（例えば、上りリンクにおける同期外れ等）を検出すると、ステップＳ１００２において、無線基地局ＭｅＮＢに対して、かかる障害（Ｆａｉｌｕｒｅ）の発生を通知する「Ｃｏｎｎｅｃｔｉｏｎ  Ｆａｉｌｕｒｅ」を送信する。
【００２６】
例えば、無線基地局ＳｅＮＢは、ＰＵＣＣＨ（Ｐｈｙｓｉｃａｌ  Ｕｐｌｉｎｋ  Ｃｏｎｔｒｏｌ  Ｃｈａｎｎｅｌ）やＳＲＳ（Ｓｏｕｎｄｉｎｇ  Ｒｅｆｅｒｅｎｃｅ  Ｓｉｇｎａｌ）を監視することによって、上述のベアラ（上りリンク）における障害の発生を検出してもよい。
【００２７】
なお、上述の「Ｃｏｎｎｅｃｔｉｏｎ  Ｆａｉｌｕｒｅ」は、上述のベアラについての設定情報を示す「ＳｅＮＢ  ｂｅａｒｅｒ  ｃｏｎｆｉｇｕｒｅａｔｉｏｎ」を通知する。
【００２８】
ステップＳ１００３において、無線基地局ＭｅＮＢは、かかる「Ｃｏｎｎｅｃｔｉｏｎ  Ｆａｉｌｕｒｅ」に応じて、移動局ＵＥに対して、「ＲＲＣＣｏｎｎｅｃｔｉｏｎＲｅｃｏｎｆｉｇｕｒａｔｉｏｎ」を送信する。
【００２９】
ここで、無線基地局ＭｅＮＢは、かかる「Ｃｏｎｎｅｃｔｉｏｎ  Ｆａｉｌｕｒｅ」によって通知された「ＳｅＮＢ  ｂｅａｒｅｒ  ｃｏｎｆｉｇｕｒａｔｉｏｎ」に基づいて、上述のベアラの再設定情報を生成して、「ＲＲＣＣｏｎｎｅｃｔｉｏｎＲｅｃｏｎｆｉｇｕｒａｔｉｏｎ」を用いて、移動局ＵＥに対して、かかるベアラの再設定情報を通知することによって、無線基地局ＭｅＮＢと移動局ＵＥとの間で、かかるベアラを再設定するように指示する。
【００３０】
移動局ＵＥは、かかる「ＲＲＣＣｏｎｎｅｃｔｉｏｎＲｅｃｏｎｆｉｇｕｒａｔｉｏｎ」に応じて、ベアラの再設定を行い、ステップＳ１００４において、無線基地局ＭｅＮＢに対して、「ＲＲＣＣｏｎｎｅｃｔｉｏｎＲｅｃｏｎｆｉｇｕｒａｔｉｏｎＣｏｍｐｌｅｔｅ」を送信する。
【００３１】
その後、ステップＳ１００５において、移動局ＵＥは、再設定されたベアラを用いて、無線基地局ＭｅＮＢとの間で、Ｕ-ｐｌａｎｅデータの送受信を行う。
【００３２】
第２に、図５を参照して、本実施形態に係る移動通信システムの動作例２について説明する。
【００３３】
図５に示すように、移動局ＵＥは、無線基地局ＭｅＮＢと無線基地局ＳｅＮＢとの間で「Ｄｕａｌ  Ｃｏｎｎｅｃｔｉｖｉｔｙ」を行っている状態で、ステップＳ２００１において、無線基地局ＳｅＮＢと移動局ＵＥとの間で設定されているベアラにおける障害（例えば、下りリンクにおけるＲＬＦ等）を検出すると、ステップＳ２００２において、無線基地局ＭｅＮＢに対して、かかるベアラについての再設定を要求する「ＲＲＣＣｏｎｎｅｃｔｉｏｎＲｅｅｓｔａｂｌｉｓｈｍｅｎｔＲｅｑｕｅｓｔ」を送信する。
【００３４】
例えば、移動局ＵＥは、無線品質の測定やレイヤ２における測定を行うことによって、上述のベアラ（下りリンク）における障害の発生を検出してもよい。
【００３５】
ここで、移動局ＵＥによって検出される障害としては、物理レイヤにおける障害（ｏｕｔ  ｏｆ  ｓｙｎｃ）や「ＲＡＣＨ  ｐｒｏｂｌｅｍ」や「ＲＬＣ  ｐｒｏｂｌｅｍ」等が想定される。
【００３６】
ステップＳ２００３において、無線基地局ＭｅＮＢは、かかる「ＲＲＣＣｏｎｎｅｃｔｉｏｎＲｅｅｓｔａｂｌｉｓｈｍｅｎｔＲｅｑｕｅｓｔ」に基づいて、無線基地局ＳｅＮＢに対して、かかるベアラについての設定情報を送信するように要求する「ＵＥ  Ｃｏｎｔｅｘｔ  Ｅｎｑｕｉｒｙ」を送信する。
【００３７】
ここで、「ＵＥ  Ｃｏｎｔｅｘｔ  Ｅｎｑｕｉｒｙ」は、無線基地局ＳｅＮＢに対して、上述のベアラを解放するように要求する。
【００３８】
ステップＳ２００４において、無線基地局ＳｅＮＢは、かかる「ＵＥ  Ｃｏｎｔｅｘｔ  Ｅｎｑｕｉｒｙ」に応じて、無線基地局ＭｅＮＢに対して、かかるベアラについての設定情報を示す「ＳｅＮＢ  ｂｅａｒｅｒ  ｃｏｎｆｉｇｕｒｅａｔｉｏｎ」を通知する「ＵＥ  Ｃｏｎｔｅｘｔ  Ｅｎｑｕｉｒｙ  Ｒｅｓｐｏｎｓｅ」を送信する。
【００３９】
ステップＳ２００５において、無線基地局ＭｅＮＢは、かかる「ＵＥ  Ｃｏｎｔｅｘｔ  Ｅｎｑｕｉｒｙ  Ｒｅｓｐｏｎｓｅ」に応じて、移動局ＵＥに対して、「ＲＲＣＣｏｎｎｅｃｔｉｏｎＲｅｃｏｎｆｉｇｕｒａｔｉｏｎ」を送信する。
【００４０】
ここで、無線基地局ＭｅＮＢは、かかる「ＵＥ  Ｃｏｎｔｅｘｔ  Ｅｎｑｕｉｒｙ  Ｒｅｓｐｏｎｓｅ」によって通知された「ＳｅＮＢ  ｂｅａｒｅｒ  ｃｏｎｆｉｇｕｒｅａｔｉｏｎ」に基づいて、上述のベアラの再設定情報を生成して、「ＲＲＣＣｏｎｎｅｃｔｉｏｎＲｅｃｏｎｆｉｇｕｒａｔｉｏｎ」を用いて、移動局ＵＥに対して、かかるベアラの再設定情報を通知することによって、無線基地局ＭｅＮＢと移動局ＵＥとの間で、かかるベアラを再設定するように指示する。
【００４１】
移動局ＵＥは、かかる「ＲＲＣＣｏｎｎｅｃｔｉｏｎＲｅｃｏｎｆｉｇｕｒａｔｉｏｎ」に応じて、ベアラの再設定を行い、ステップＳ２００６において、無線基地局ＭｅＮＢに対して、「ＲＲＣＣｏｎｎｅｃｔｉｏｎＲｅｃｏｎｆｉｇｕｒａｔｉｏｎＣｏｍｐｌｅｔｅ」を送信する。
【００４２】
その後、ステップＳ２００７において、移動局ＵＥは、再設定されたベアラを用いて、無線基地局ＭｅＮＢとの間で、Ｕ-ｐｌａｎｅデータの送受信を行う。
【００４３】
ここで、図６及び図７を参照して、かかるベアラの再設定の前後における無線基地局ＭｅＮＢ及び無線基地局ＳｅＮＢのプロトコルスタックについて説明する。
【００４４】
例えば、図６（ａ）に示すように、移動局ＵＥが、無線基地局ＭｅＮＢと無線基地局ＳｅＮＢとの間で「Ｄｕａｌ  Ｃｏｎｎｅｃｔｉｖｉｔｙ」を行っている状態では、無線基地局ＭｅＮＢは、ＥＰＳベアラ＃１用のＭＡＣレイヤ機能＃１とＲＬＣレイヤ機能＃１とＰＤＣＰレイヤ機能＃１とを具備しており、無線基地局ＳｅＮＢは、ＥＰＳベアラ＃２用のＭＡＣレイヤ機能＃２とＲＬＣレイヤ機能＃２とＰＤＣＰレイヤ機能＃２とを具備している。
【００４５】
その後、ＥＰＳベアラ＃２における障害が検出された場合、無線基地局ＳｅＮＢにおいて、ＭＡＣレイヤ機能＃２とＲＬＣレイヤ機能＃２とＰＤＣＰレイヤ機能＃２とを削除し、無線基地局ＭｅＮＢにおいて、ＭＡＣレイヤ機能＃２とＲＬＣレイヤ機能＃２とＰＤＣＰレイヤ機能＃２とを設定するように構成されていてもよい。
【００４６】
ここで、ＭＡＣレイヤ機能＃２については、既存のＭＡＣレイヤ機能＃１を共通に使用するように設定してもよい（既存のＭＡＣレイヤ機能＃１と同一の設定内容としてもよい）。
【００４７】
その結果、図６（ｂ）に示すように、無線基地局ＭｅＮＢは、ＥＰＳベアラ＃１用のＭＡＣレイヤ機能＃１とＲＬＣレイヤ機能＃１とＰＤＣＰレイヤ機能＃１と共に、ＥＰＳベアラ＃２用のＲＬＣレイヤ機能＃２とＰＤＣＰレイヤ機能＃２とを具備する状態になってもよい。
【００４８】
かかる場合、上述のベアラの再設定情報には、無線基地局ＳｅＮＢで設定されていたＥＰＳベアラ＃２の識別情報や、ＰＤＣＰレイヤ機能＃２の設定情報や、ＲＬＣレイヤ機能＃２の設定情報等が含まれている。
【００４９】
或いは、図７（ａ）に示すように、移動局ＵＥが、無線基地局ＭｅＮＢと無線基地局ＳｅＮＢとの間で「Ｄｕａｌ  Ｃｏｎｎｅｃｔｉｖｉｔｙ」を行っている状態において、無線基地局ＭｅＮＢが、ＥＰＳベアラ＃１用のＭＡＣレイヤ機能＃１とＲＬＣレイヤ機能＃１とＰＤＣＰレイヤ機能＃１とを具備しており、無線基地局ＳｅＮＢが、ＥＰＳベアラ＃２用のＭＡＣレイヤ機能＃２とＲＬＣレイヤ機能＃２とＰＤＣＰレイヤ機能＃２とを具備している際に、ＥＰＳベアラ＃２における障害が検出された場合、無線基地局ＳｅＮＢにおいて、ＭＡＣレイヤ機能＃２とＲＬＣレイヤ機能＃２とＰＤＣＰレイヤ機能＃２とを削除し、無線基地局ＭｅＮＢにおいて、ＭＡＣレイヤ機能＃２とＲＬＣレイヤ機能＃２とＰＤＣＰレイヤ機能＃２とを設定するように構成されていてもよい。
【００５０】
ここで、ＭＡＣレイヤ機能＃２、ＲＬＣレイヤ機能＃２及びＰＤＣＰレイヤ機能＃２は、それぞれ、ＭＡＣレイヤ機能＃１、ＲＬＣレイヤ機能＃１及びＰＤＣＰレイヤ機能＃１とは独立のエンティティとして設定されている。
【００５１】
その結果、図７（ｂ）に示すように、無線基地局ＭｅＮＢは、ＥＰＳベアラ＃１用のＭＡＣレイヤ機能＃１とＲＬＣレイヤ機能＃１とＰＤＣＰレイヤ機能＃１と共に、ＥＰＳベアラ＃２用のＭＡＣレイヤ機能＃２とＲＬＣレイヤ機能＃２とＰＤＣＰレイヤ機能＃２とを具備する状態になってもよい。
【００５２】
かかる場合、上述のベアラの再設定情報には、無線基地局ＳｅＮＢで設定されていたＥＰＳベアラ＃２の識別情報や、ＰＤＣＰレイヤ機能＃２の設定情報や、ＲＬＣレイヤ機能＃２の設定情報や、ＭＡＣレイヤ機能＃２の設定情報等が含まれている。
【００５３】
本実施形態に係る移動通信システムによれば、移動局ＵＥが、無線基地局ＭｅＮＢと無線基地局ＳｅＮＢとの間で、それぞれＥＰＳベアラ＃１及びＥＰＳベアラ＃２を用いて「Ｄｕａｌ  Ｃｏｎｎｅｃｔｉｖｉｔｙ」を行っている状態において、ＥＰＳベアラ＃２における障害が検出された場合であっても、適切に、ＥＰＳベアラの構成を変更し、通信を継続させることができる。
【００５４】
（変更例１）
以下、図８及び図９を参照して、本発明の変更例１に係る移動通信システムについて、上述の第１の実施形態に係る移動通信システムとの相違点に着目して説明する。
【００５５】
本変更例１に係る移動通信システムでは、図８に示すように、移動局ＵＥが「Ｄｕａｌ  Ｃｏｎｎｅｃｔｉｖｉｔｙ」を行っている場合において、同一のＥＰＳベアラ上のＵ-ｐｌａｎｅデータ（例えば、ＥＰＳベアラ＃２上のＵ-ｐｌａｎｅデータ）は、無線基地局ＭｅＮＢ及び無線基地局ＳｅＮＢの両方に流れるように構成されている。
【００５６】
かかる場合、図９（ａ）に示すように、移動局ＵＥが、無線基地局ＭｅＮＢと無線基地局ＳｅＮＢとの間で「Ｄｕａｌ  Ｃｏｎｎｅｃｔｉｖｉｔｙ」を行っている状態では、無線基地局ＭｅＮＢは、ＥＰＳベアラ＃１用のＭＡＣレイヤ機能＃１とＲＬＣレイヤ機能＃１とＰＤＣＰレイヤ機能＃１と共に、ＥＰＳベアラ＃１用のＲＬＣレイヤ機能＃１とＰＤＣＰレイヤ機能＃１とを具備しており、無線基地局ＳｅＮＢは、ＥＰＳベアラ＃２用のＭＡＣレイヤ機能＃２とＲＬＣレイヤ機能＃２とＰＤＣＰレイヤ機能＃２とを具備している。
【００５７】
その後、ＥＰＳベアラ＃２における障害が検出された場合、無線基地局ＳｅＮＢにおいて、ＭＡＣレイヤ機能＃２とＲＬＣレイヤ機能＃２とＰＤＣＰレイヤ機能＃２とを削除し、無線基地局ＭｅＮＢにおいて、ＭＡＣレイヤ機能＃２とＲＬＣレイヤ機能＃２とＰＤＣＰレイヤ機能＃２とを設定するように構成されている。
【００５８】
ここで、ＭＡＣレイヤ機能＃２については、既存のＭＡＣレイヤ機能＃１を共通に使用するように設定してもよい（既存のＭＡＣレイヤ機能＃１と同一の設定内容としてもよい）。
【００５９】
その結果、図９（ｂ）に示すように、無線基地局ＭｅＮＢは、ＥＰＳベアラ＃１用のＭＡＣレイヤ機能＃１とＲＬＣレイヤ機能＃１とＰＤＣＰレイヤ機能＃１と共に、ＥＰＳベアラ＃２用のＲＬＣレイヤ機能＃２とＰＤＣＰレイヤ機能＃２とを具備する状態になる。
【００６０】
本変更例１に係る移動通信システムによれば、移動局ＵＥが、無線基地局ＭｅＮＢと無線基地局ＳｅＮＢとの間で、それぞれＥＰＳベアラ＃１及びＥＰＳベアラ＃２を用いて「Ｄｕａｌ  Ｃｏｎｎｅｃｔｉｖｉｔｙ」を行っている状態において、同一のＥＰＳベアラ上のＵ-ｐｌａｎｅデータ（例えば、ＥＰＳベアラ＃２上のＵ-ｐｌａｎｅデータ）は、無線基地局ＭｅＮＢ及び無線基地局ＳｅＮＢの両方に流れるように構成されている場合であっても、ＥＰＳベアラ＃２における障害が検出された場合には、適切に、ＥＰＳベアラの構成を変更し、通信を継続させることができる。
【００６１】
以上に述べた本実施形態の特徴は、以下のように表現されていてもよい。
【００６２】
本実施形態の第１の特徴は、移動局ＵＥが無線基地局ＭｅＮＢ（マクロセル用無線基地局）配下のマクロセル及び無線基地局ＳｅＮＢ（スモールセル用無線基地局）配下のスモールセルを用いてＣＡ（キャリアアグリゲーション）を行っている状態における移動通信方法であって、無線基地局ＳｅＮＢが、無線基地局ＳｅＮＢと移動局ＵＥとの間で設定されているベアラにおける障害（Ｆａｉｌｕｒｅ）を検出した場合、無線基地局ＭｅＮＢに対して、その旨及び当該ベアラについての設定情報を通知する工程と、無線基地局ＭｅＮＢが、かかる設定情報に基づいて、移動局ＵＥに対して、無線基地局ＭｅＮＢと移動局ＵＥとの間で当該ベアラを再設定するように指示する工程とを有することを要旨とする。
【００６３】
本実施形態の第２の特徴は、移動局ＵＥが無線基地局ＭｅＮＢ配下のマクロセル及び無線基地局ＳｅＮＢ配下のスモールセルを用いてＣＡを行っている状態における移動通信方法であって、移動局ＵＥが、無線基地局ＳｅＮＢと移動局ＵＥとの間で設定されているベアラにおける障害を検出した場合、無線基地局ＭｅＮＢに対して、かかるベアラについての「ＲＲＣＣｏｎｎｅｃｔｉｏｎＲｅｅｓｔａｂｌｉｏｓｈｍｅｎｔＲｅｑｕｅｓｔ（再設定要求）」を送信する工程と、無線基地局ＭｅＮＢが、かかる「ＲＲＣＣｏｎｎｅｃｔｉｏｎＲｅｅｓｔａｂｌｉｏｓｈｍｅｎｔＲｅｑｕｅｓｔ」に基づいて、無線基地局ＳｅＮＢから、かかるベアラについての設定情報を取得する工程と、無線基地局ＭｅＮＢが、かかる設定情報に基づいて、移動局ＵＥに対して、無線基地局ＭｅＮＢと移動局ＵＥとの間で当該ベアラを再設定するように指示する工程とを有することを要旨とする。
【００６４】
本実施形態の第３の特徴は、移動局ＵＥが無線基地局ＭｅＮＢ配下のマクロセル及び無線基地局ＳｅＮＢ配下のスモールセルを用いてＣＡを行うことができるように構成されている移動通信システムであって、かかるＣＡが行われている状態では、無線基地局ＭｅＮＢは、ＥＰＳベアラ＃１（第１ベアラ）用のＭＡＣレイヤ機能＃１とＲＬＣレイヤ機能＃１とＰＤＣＰレイヤ機能＃１とを具備しており、無線基地局ＳｅＮＢは、ＥＰＳベアラ＃２（第２ベアラ）用のＭＡＣレイヤ機能＃２とＲＬＣレイヤ機能＃２とＰＤＣＰレイヤ機能＃２とを具備しており、ＥＰＳベアラ＃２における障害が検出された場合に、無線基地局ＳｅＮＢにおいて、ＭＡＣレイヤ機能＃２とＲＬＣレイヤ機能＃２とＰＤＣＰレイヤ機能＃２とを削除し、無線基地局ＭｅＮＢにおいて、ＭＡＣレイヤ機能＃２とＲＬＣレイヤ機能＃２とＰＤＣＰレイヤ機能＃２とを設定し、かかるＭＡＣレイヤ機能＃２については、既存のＭＡＣレイヤ機能＃１を共通に使用するように設定するように構成されていることを要旨とする。
【００６５】
本実施形態の第４の特徴は、移動局ＵＥが無線基地局ＭｅＮＢ配下のマクロセル及び無線基地局ＳｅＮＢ配下のスモールセルを用いてＣＡを行うことができるように構成されている移動通信システムであって、かかるＣＡが行われている状態では、無線基地局ＭｅＮＢは、ＥＰＳベアラ＃１用のＭＡＣレイヤ機能＃１とＲＬＣレイヤ機能＃１とＰＤＣＰレイヤ機能＃１とを具備しており、無線基地局ＳｅＮＢは、ＥＰＳベアラ＃２用のＭＡＣレイヤ機能＃２とＲＬＣレイヤ機能＃２とＰＤＣＰレイヤ機能＃２とを具備しており、ＥＰＳベアラ＃２における障害が検出された場合に、無線基地局ＳｅＮＢにおいて、ＭＡＣレイヤ機能＃２とＲＬＣレイヤ機能＃２とＰＤＣＰレイヤ機能＃２とを削除し、無線基地局ＭｅＮＢにおいて、ＭＡＣレイヤ機能＃２とＲＬＣレイヤ機能＃２とＰＤＣＰレイヤ機能＃２とを、ＭＡＣレイヤ機能＃１とＲＬＣレイヤ機能＃１とＰＤＣＰレイヤ機能＃１とは独立のエンティティとして設定するように構成されていることを要旨とする。
【００６６】
本実施形態の第５の特徴は、移動局ＵＥが無線基地局ＭｅＮＢ配下のマクロセル及び無線基地局ＳｅＮＢ配下のスモールセルを用いてＣＡを行うことができるように構成されている移動通信システムであって、かかるＣＡが行われている状態では、無線基地局ＭｅＮＢは、ＥＰＳベアラ＃１用のＭＡＣレイヤ機能＃１とＲＬＣレイヤ機能＃１とＰＤＣＰレイヤ機能＃１と共に、ＥＰＳベアラ＃２用のＲＬＣレイヤ機能＃２とＰＤＣＰレイヤ機能＃２とを具備しており、無線基地局ＳｅＮＢは、ＥＰＳベアラ＃２用のＭＡＣレイヤ機能＃２とＲＬＣレイヤ機能＃２とＰＤＣＰレイヤ機能＃２とを具備しており、ＥＰＳベアラ＃２における障害が検出された場合に、無線基地局ＳｅＮＢにおいて、ＭＡＣレイヤ機能＃２とＲＬＣレイヤ機能＃２とＰＤＣＰレイヤ機能＃２とを削除し、無線基地局ＭｅＮＢにおいて、ＭＡＣレイヤ機能＃２とＲＬＣレイヤ機能＃２とＰＤＣＰレイヤ機能＃２とを設定し、かかるＭＡＣレイヤ機能＃２については、既存のＭＡＣレイヤ機能＃１を共通に使用するように設定するように構成されていることを要旨とする。
【００６７】
なお、上述の移動局ＵＥや無線基地局ＭｅＮＢ/ＳｅＮＢの動作は、ハードウェアによって実施されてもよいし、プロセッサによって実行されるソフトウェアモジュールによって実施されてもよいし、両者の組み合わせによって実施されてもよい。
【００６８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ＭｅＮＢ/ＳｅＮＢ内に設けられていてもよい。また、かかる記憶媒体及びプロセッサは、ディスクリートコンポーネントとして移動局ＵＥや無線基地局ＭｅＮＢ/ＳｅＮＢ内に設けられていてもよい。
【００７０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７１】
Ｓ-ＧＷ…ゲートウェイ装置
ＭｅＮＢ、ＳｅＮＢ…無線基地局
ＵＥ…移動局
【図１】
2015037301.tif 000003
【図２】
2015037301.tif 000004
【図３】
2015037301.tif 000005
【図４】
2015037301.tif 000006
【図５】
2015037301.tif 000007
【図６】
2015037301.tif 000008
【図７】
2015037301.tif 000009
【図８】
2015037301.tif 000010
【図９】
2015037301.tif 000011